(57)【要約】【課題】  本発明は、絞り羽根近傍の位置に、絞り量を検出可能な検出センサを配設して、高精度の絞り量が検出可能な絞り兼用シャッタ駆動装置を提供すること。【解決手段】  本発明の絞り兼用シャッタ駆動装置は、所定厚さのベース部材２と、このベース部材２に貫通形成された所定の口径の開口部２ａと、駆動源１の駆動により開口部２ａの閉鎖あるいは開口量の調整（絞り）を行う光調整部材９とを備え、光調整部材９近傍の位置に光調整部材９による開口部２ａの絞り量を検出可能なホール素子７とセンサマグネット８ｇとからなる検出センサを配設したので、検出センサで駆動リング８の回動量を検出することにより、開口部２ａの絞り量を高精度に検出することができる。【選択図】        図１
2005018020.tif 000002
【特許請求の範囲】
【請求項１】
所定厚さのベース部材と、このベース部材に貫通形成された所定の口径の開口部と、駆動源の駆動により前記開口部の閉鎖あるいは開口量の調整（絞り）を行う光調整部材とを備え、前記光調整部材近傍の位置に前記光調整部材による前記開口部の絞り量を検出可能な検出センサを配設したことを特徴とする絞り兼用シャッタ駆動装置。
【請求項２】
前記ベース部材上には、前記光調整部材の一部を支持した環状の駆動リングが載置され、この駆動リングの回動に同期して、前記光調整部材が、前記開口部を開放する開放位置、および前記開口部を閉鎖する閉鎖位置に移動可能とし、前記検出センサが前記駆動リングの回動量を検出することにより前記開口部の絞り量を検出可能としたことを特徴とする請求項１記載の絞り兼用シャッタ駆動装置。
【請求項３】
前記検出センサは、前記駆動リングの一面側に配設したセンサマグネットと、このセンサマグネットが対向する位置の前記ベース部材に配設したホール素子とからなることを特徴とする請求項２記載の絞り兼用シャッタ駆動装置。
【請求項４】
前記駆動源は、電磁式アクチュエータからなり、前記駆動リングは、前記駆動源に直結された駆動レバーの一方向および他方向への往復移動に連動して、所定角度回動するようにしたことを特徴とする請求項１乃至３のいずれかに記載の絞り兼用シャッタ駆動装置。
【請求項５】
前記駆動リングには、前記駆動レバーが係合可能な係合溝が形成され、複数の前記光調整部材には、前記駆動リングに形成した突起が係合可能な長溝が形成され、前記駆動リングの前記係合溝に係合する前記駆動レバーを、いずれか１つの前記光調整部材の前記長孔に係合させると共に、残りの前記光調整部材の前記長孔に前記駆動リングに形成した突起を係合させるようにしたことを特徴とする請求項４記載の絞り兼用シャッタ駆動装置。
【請求項６】
前記駆動リングと前記ベース部材との間には、前記駆動リングが前記回動するときの摺動負荷を低減するためのボールが配設されていることを特徴とする請求項２乃至５のいずれかに記載の絞り兼用シャッタ。
【請求項７】
前記光調整部材は、前記開口部を閉鎖する方向に弾性付勢された状態で前記移動可能になっていることを特徴とする請求項２乃至６のいずれかに記載の絞り兼用シャッタ。
【発明の詳細な説明】
【技術分野】
【０００１】
本発明は、絞り兼用シャッタ駆動装置に係わり、特にデジタルムービーカメラあるいはデジタルスチルカメラ等における絞りを兼用することが可能な絞り兼用シャッタ駆動装置に関する。
【背景技術】
【０００２】
従来のデジタルムービーカメラあるいはデジタルスチルカメラ等に適用される絞りを兼用すると共にＮＤフィルタを備えた絞り兼用シャッタ駆動装置を、図１０、図１１に基づいて説明する。
従来の絞り兼用シャッタ駆動装置は、図１０に示すように、円形の開口部５１ａが形成されたシャッタ地板５１の下部には、円形の開口部５２ａを有するフィルタ地板５２が積層配置され、このフィルタ地板５２とシャッタ地板５１との間に、絞り羽根である第１羽根体５３および第２羽根体５４が配設されている。
【０００３】
前記第１羽根体５３には、開口部５１ａ、５２ａの絞り機能をなす３角形状の絞り縁部５３ａが形成され、第２羽根体５４には、第１羽根体５３の絞り縁部５３ａと逆向きに形成された３角状の絞り縁部５４ａが形成されている。
また、後述するロータ５５ａの回動を伝達するために、第１羽根体５３には、第１駆動ピン５３ｂが、第２羽根体５４には、第２駆動ピン５４ｂがそれぞれ立設されている。
また、シャッタ地板５１の一方の面側には、それぞれの絞り縁部５３ａ、５４ａが交叉する図示上下方向に第１、第２羽根体５３、５４を駆動する電磁アクチュエータからなる駆動源５５が配設されている。
【０００４】
前記駆動源５５は、回動中心の所定角度範囲に亘って回動自在のロータ５５ａと、このロータ５５ａを回動駆動可能な励磁コイル（図示せず）と、ロータ５５ａの回動量を検出可能なホール素子（図示せず）等により構成されている。
そして、ロータ５５ａには、アーム状の駆動腕５５ｂが延出形成され、この駆動腕５５ｂが揺動レバー５６の第１長孔５６ａに係合され、ロータ５５ａの回動によって、揺動レバー５６が時計回り方向及び反時計回り方向に揺動するようになっている。
また、揺動レバー５６には、第１長孔５６ａ以外に、図示右側の一端部側に第１羽根体５３の第１駆動ピン５３ｂが係合可能な第２長孔５６ｂと、図示左側の他端部側に第２羽根体５４の第２駆動ピン５４ｂが係合可能な第３長孔５６ｃとが形成されている。
【０００５】
このような構成の絞り兼用シャッタ駆動装置を、例えばデジタルムービーカメラに搭載した場合の動作について、図１０、図１１に基づいて説明する。
まず、撮影前のカメラ側によって、周囲の明るさに対応して絞り量が設定され、この絞り量に対応した開口径に開口部５１ａ、５２ａがなるように、駆動源５５を駆動させて、図１０に示すロータ５５ａを時計回り方向に回動させる。
すると、駆動腕５５ｂが第１長孔５６ａの内面を押圧することにより、揺動レバー５６が時計回り方向に回動し、第２長孔５６ｂに係合する第１駆動ピン５３ｂが図示下方に押し下げられて第１羽根体５３が下方側に移動する。
また、第３長孔５６ｃに係合する第２駆動ピン５４ｂが図示上方に押し上げられて第２羽根体５４が上方に移動する。
【０００６】
そして、ホール素子（図示せず）により検出されるロータ５５ａの回動量が、撮影前のカメラ側で設定されている絞り量に対応する位置まで回動することにより、図１１に示すように、第１、第２羽根体５３、５４の絞り縁部５３ａ、５４ａで形成する絞り口径がカメラ側で設定した最適な絞り量となり、この時点でロータ５５ａの回動が停止すると共に、撮像素子（ＣＣＤ）により動画が撮影される。
【特許文献１】特開２００１−２８１７２５号公報
【特許文献２】特開２０００−３１０８０３号公報
【発明の開示】
【発明が解決しようとする課題】
【０００７】
しかし、前述したような従来の絞り兼用シャッタ駆動装置は、ロータ５５ａの回動が駆動腕５５ｂを介して揺動レバー５６に伝達され、この揺動レバー５６の揺動が第１、第２駆動ピン５３ｂ、５４ｂを介して第１羽根体４３及び第２羽根体５４に伝達される。
そのために、第１長孔５６ａと駆動腕５５ｂ、第２長孔５６ｂと第１駆動ピン５３ｂ、第３長孔５６ｃと第２駆動ピン５４ｂと、連結部が多いために、それぞれの連結部にある微小なガタが累積される。そのために、ロータ５５ａの回動量に対応する第１、第２羽根体５３、５４の移動量にズレが発生して、設定した絞り口径に絞り込むことができなくなるおそれがあった。
本発明は、前述したような課題に鑑みてなされたものであり、絞り羽根近傍の位置に、絞り量を検出可能な検出センサを配設して、高精度の絞り量が検出可能な絞り兼用シャッタ駆動装置を提供することを目的とする。
【課題を解決するための手段】
【０００８】
前記課題を解決するための第１の解決手段として本発明の絞り兼用シャッタ駆動装置は、所定厚さのベース部材と、このベース部材に貫通形成された所定の口径の開口部と、駆動源の駆動により前記開口部の閉鎖あるいは開口量の調整（絞り）を行う光調整部材とを備え、前記光調整部材近傍の位置に前記光調整部材による前記開口部の絞り量を検出可能な検出センサを配設したことを特徴とする。
【０００９】
また、前記課題を解決するための第２の解決手段として、前記ベース部材上には、前記光調整部材の一部を支持した環状の駆動リングが載置され、この駆動リングの回動に同期して、前記光調整部材が、前記開口部を開放する開放位置、および前記開口部を閉鎖する閉鎖位置に移動可能とし、前記検出センサが前記駆動リングの回動量を検出することにより前記開口部の絞り量を検出可能としたことを特徴とする請求項１記載の絞り兼用シャッタ駆動装置。
【００１０】
また、前記課題を解決するための第３の解決手段として、前記検出センサは、前記駆動リングの一面側に配設したセンサマグネットと、このセンサマグネットが対向する位置の前記ベース部材に配設したホール素子とからなることを特徴とする請求項２記載の絞り兼用シャッタ駆動装置。
【００１１】
また、前記課題を解決するための第４の解決手段として、前記駆動源は、電磁式アクチュエータからなり、前記駆動リングは、前記駆動源に直結された駆動レバーの一方向および他方向への往復移動に連動して、所定角度回動するようにしたことを特徴とする請求項１乃至３のいずれかに記載の絞り兼用シャッタ駆動装置。
【００１２】
また、前記課題を解決するための第５の解決手段として、前記駆動リングには、前記駆動レバーが係合可能な係合溝が形成され、複数の前記光調整部材には、前記駆動リングに形成した突起が係合可能な長溝が形成され、前記駆動リングの前記係合溝に係合する前記駆動レバーを、いずれか１つの前記光調整部材の前記長孔に係合させると共に、残りの前記光調整部材の前記長孔に前記駆動リングに形成した突起を係合させるようにしたことを特徴とする。
【００１３】
また、前記課題を解決するための第６の解決手段として、前記駆動リングと前記ベース部材との間には、前記駆動リングが前記回動するときの摺動負荷を低減するためのボールが配設されていることを特徴とする。
【００１４】
また、前記課題を解決するための第７の解決手段として、前記光調整部材は、前記開口部を閉鎖する方向に弾性付勢された状態で前記移動可能になっていることを特徴とする。
【発明の効果】
【００１５】
本発明は、光調整部材近傍の位置に光調整部材による開口部の絞り量を検出可能な検出センサを配設したので、駆動源から光調整部材までの間で発生するバックラッシュ等による累積ガタを最小にすることができる。
そのために、検出センサが駆動リングの回動量を検出することにより、開口部の絞り量を高精度に調整することができる。
【００１６】
また、駆動リングの回動に同期して、光調整部材が、開口部を開放する開放位置、および開口部を閉鎖する閉鎖位置に移動可能とし、検出センサが駆動リングの回動量を検出することにより開口部の絞り量を検出可能としたので、検出センサが検出する駆動リングの回動量によって、開口部の絞り量を高精度に検出することができる。
【００１７】
また、検出センサは、駆動リングの一面側に配設したセンサマグネットと、このセンサマグネットが対向する位置のベース部材に配設したホール素子とからなるので、低コストで高精度に駆動リングの回動量を検出することができる。
【００１８】
また、駆動源は、電磁式アクチュエータからなり、駆動リングは、駆動源に直結された駆動レバーの一方向および他方向への往復移動に連動して、所定角度回動するようにしたので、低コストで大きな駆動力を出力な駆動源とすることができる。
【００１９】
また、駆動リングの係合溝に係合する駆動レバーを、いずれか１つの光調整部材の長孔に係合させると共に、残りの光調整部材の長孔に駆動リングに形成した突起を係合させるようにしたので、駆動リングの製造が容易で低コストとすることができる。
【００２０】
また、駆動リングとベース部材との間には、駆動リングが回動するときの摺動負荷を低減するためのボールが配設されているので、駆動リングの摺動負荷を低減して駆動源である電磁式アクチュエータの駆動力の小型化が可能になる。
【００２１】
また、光調整部材は、開口部を閉鎖する方向に弾性付勢された状態で移動可能になっているので、開口部を開放する方向、あるいは閉じる方向に移動する時に発生する光調整部材のバックラッシュを無くすることができる。
【発明を実施するための最良の形態】
【００２２】
以下、本発明に関する絞り兼用シャッタ駆動装置の実施の形態を図１〜図９に基づいて説明する。図１は本発明に関する絞り兼用シャッタ駆動装置の分解斜視図であり、図２は本発明に係わるベース部材の平面図であり、図３は本発明に係わる検出センサの磁束カーブを示す図であり、図４〜図９は本発明に関する絞り兼用シャッタ駆動装置の動作を説明する要部拡大図ある。
まず、本発明の実施の形態の絞り兼用シャッタ駆動装置電気は、図１に示すように、最下部に後述する駆動リング８を所定角度往復回動駆動させるための駆動源１が配設されている。
【００２３】
この駆動源１は、内部が空洞状のケース１ａを有し、このケース１ａ内に図示を省略するが、永久磁石、コイルおよび駆動棒等が配設された電磁式アクチュエータからなり、前記永久磁石およびコイルには、中心部に貫通孔が形成され、この貫通孔に駆動棒が挿入されて配設されている。
そして、コイルに所定の電流を通電することにより発生する磁界で、前記駆動棒が一方向と他方向とに往復移動可能になっている。
また、駆動棒には、駆動レバー１ｂが固着されており、この駆動レバー１ｂがケース１ａから図示上方に延出して、駆動棒の往復移動に伴って駆動レバー１ｂも往復移動するようになっている。
【００２４】
前記駆動源１は、外形が略円形状のベース部材２の裏面側に小ネジ（図示せず）等で固着されている。
また、ベース部材２は、樹脂材料等からなり、図２に示すように、外形が略円形状に形成され、中心部には、所定の大きさで円形状の開口部２ａが貫通形成され、この開口部２ａの周囲には、表面が平坦状でリング状に突出形成された羽根摺動面２ｂが形成されている。
また、ベース部材２の外周部には、周壁２ｃが所定の幅寸法と高さ寸法で形成されている。
また、羽根摺動面２ｂの外側には、所定深さでリング状に彫り込みされた凹部３が形成され、この凹部３に後述する駆動リング８が回動自在に位置するようになっている。
【００２５】
また、図２に示す凹部３の底面には、図示斜め右上方にリング状の凹部３に倣って扇状のセンサ孔３ａと、図示手前側に所定の幅寸法と長さ寸法のスリット状の駆動孔３ｂとが貫通形成されている。
前記駆動孔３ｂには、駆動源１の駆動レバー１ｂがベース部材２の裏面側から挿通されて、駆動孔３ｂ内を図示左右に往復移動可能になっている。
また、凹部３の底面には、少なくとも３箇所にボール１６が回転自在に保持されている。そして、少なくとも３個以上のボール１６上には、後述する駆動リング８が回動自在に載置されており、ボール１６によって、駆動リング８が回動するときの摺動負荷が低減されるようになっている。
【００２６】
また、凹部３の外側には、羽根摺動面２ｂより高さが若干低く凹部３の底面より高さが高いリング状の第１支持面４が周壁２ｃの内周面に接して形成されている。この第１支持面４には、１２０°の等間隔の位置に、３本の第１支持突起４ａ、４ｂ、４ｃが所定高さで突出形成されている。
また、それぞれの第１支持突起４ａ、４ｂ、４ｃの周囲には、第１支持突起４ａ、４ｂ、４ｃを囲むように、外形がリング状の羽根受け部４ｄが、それぞれ形成されている。この羽根受け部４ｄは、羽根摺動面２ｂと同じ高さに突出形成されている。
また、図示下方側の第１支持突起４ａの左側で後述する第３支持突起６ａ近傍の第１支持面４上には、２段形状のバネ支持突起４ｅが突出形成されている。
【００２７】
また、図２に示す手前側の第１支持突起４ａの右側近傍には、第１支持面４より若干高く形成された第２支持面５が形成され、この第２支持面５には、第１支持突起４ａ、４ｂ、４ｃと略同じ径の第２支持突起５ａが所定高さで突出形成されている。
また、図２に示す第１支持突起４ａの左側近傍には、第２支持面５と略同じ高さに形成された第３支持面６が形成され、この第３支持面６には、第１支持突起４ａ、４ｂ、４ｃと略同じ径寸法のの第３支持突起６ａが所定高さで突出形成されている。
【００２８】
また、凹部３に形成したセンサ孔３ａ部分のベース部材２の裏面には、図１に示すように、後述する光調整部材９による開口部２ａの絞り量を検出可能な検出センサの一部を構成するホール素子７を載置したＦＰＣ（フレキシブルプリント基板）からなるセンサ基板７ａが小ネジ７ｂ等で取り付けられている。
前記センサ基板７ａは、図示下方側に略直角状に折り曲げされてカメラ側の制御回路に接続されるようになっている。
【００２９】
また、凹部３に配設したボール１６上には、凹部３のリング形状に倣ってリング状に形成された駆動リング８が配設されて回動自在になっている。前記駆動リング８の図示斜め左下方の外周部には、中心部方向に所定の幅寸法でＵ字状の係合溝８ａが形成され、この係合溝８ａに駆動源１の駆動レバー１ｂが係合するようになっている。
そして、駆動レバー１ｂを介して駆動源１の駆動力が伝達されて、駆動リング８が所定角度回動可能になっている。
また、駆動リング８には、２本の第４支持突起８ｂ、８ｃが所定高さで突出形成され、この２本の第４支持突起８ｂ、８ｃと係合溝８ａとが１２０°間隔で等間隔の位置に形成されている。
また、駆動リング８には、係合溝８ａ近傍で図示手前側に、所定の間隔を有して、操作ピン８ｄとロック解除部であるロック解除ピン８ｅとが所定高さで突出形成されている。
【００３０】
また、駆動リング８の裏面で凹部３のセンサ孔３ａ上に位置する部分に、ホール素子７と共に検出センサを構成するセンサマグネット８ｇが、接着剤等で固着されている。
前記センサマグネット８ｇは、例えば一端部側にＮ極が、他端側にＳ極が着磁された永久磁石からなっている。
このような駆動リング８は、係合溝８ａをベース部材２の駆動孔３ｂ上に、およびセンサマグネット８ｇをセンサ孔３ａ上に位置合わせした状態で凹部３に組み込むと、係合溝８ａに駆動孔３ｂから上方に突出する駆動源１の駆動レバー１ｂが挿通されると共に、センサマグネット８ｇが磁気センサ７と対向するようになっている。
【００３１】
そして、駆動源１を駆動させることにより、駆動レバー１ｂが駆動孔３ｂに沿って図示左右に往復移動して、駆動リング８が所定の角度、時計回り方向および反時計回り方向に回動するようになっている。
また、回動する駆動リング８の回動角度の制御は、ホール素子７が検出するセンサマグネット８ｇの磁束の変化が所望の値なった時点で、駆動源１の駆動棒の移動が停止するように制御されるようになっている。
尚、検出センサは、センサマグネット８ｇを多極着磁し、この多極着磁したセンサマグネット８ｇと対向する側に、ホール素子７に換えて磁気抵抗効果素子であるＭＲＥ（Ｍａｇｎｅｔ  Ｒｅｓｉｓｔｉｖｅ  Ｅｆｆｅｃｔ）素子を配置したものでも良い。
このような、多極着磁したセンサマグネット及びＭＲＥ素子から検出センサによって、駆動リング８の回動角度の検出精度を更に向上させることができる。
【００３２】
また、第１支持面４の３本の第１支持突起４ａ、４ｂ、４ｃには、薄板状の絞り羽根からなる３枚の光調整部材９の一端部側が回動自在に支持されている。    前記光調整部材９は、第１支持突起４ａ、４ｂ、４ｃに支持された位置から所定寸法内側の位置に、小判状の長孔９ａが形成されている。
また、光調整部材９の他端部側には、開口部２ａを閉鎖可能な所定の大きさの羽根部９ｂが形成されている。
【００３３】
そして、３枚の光調整部材９は、それぞれの一端部側が第１支持部４ａ、４ｂ、４ｃに支持され、３枚の内の２枚の光調整部材９の長孔９ａは、ベース部材２の凹部３に位置させた駆動リング８の第４支持突起８ｂ、８ｃに嵌合させ、残り１枚の光調整部材９の長孔９ａは、駆動リング８の係合孔８ａに係合して上方に挿通する駆動源１の駆動レバー１ｂに係合させている。
【００３４】
そのために、駆動源１の駆動力は、駆動レバー１ｂを介して駆動リング８に伝達されて駆動リング８が回動すると共に、駆動レバー１ｂが係合する１枚の光調整部材９に、直接駆動減１の駆動が伝達されて、羽根部９ｂが開口部２ａを閉じる方向、あるいは開く方向に回動するようになっている。
また、他の２枚の光調整部材９は、駆動リング８を介して駆動源１の駆動力が伝達されて、それぞれの羽根部９ｂが、駆動源１の駆動が直接伝達されて回動する光調整部材９と同期して同方向に回動するようになっている。
【００３５】
そして、羽根部９ｂが開口部２ａを閉鎖する方向に回動すると、図５に示すように、それぞれの羽根部９ｂが重なり合って、光調整部材９が開口部２ａを閉鎖した閉鎖位置になる。
また、光調整部材９が閉鎖位置のある時に、駆動リング８を反時計回り方向に回動駆動すると、それぞれの光調整部材９の羽根部９ｂが、互いに同期して開口部２ａを開放する方向に回動して、図３に示すように、光調整部材９が開放位置になるようになっている。
【００３６】
また、図４〜図９に示すように、第１支持突起４ａ、４ｂ、４ｃに支持される光調整部材９一端部側近傍には、第３弾性部材１７が掛け止めされ、この第３弾性部材１７によって、光調整部材９が開口部２ａを閉鎖する方向に常時弾性付勢されている。
そのために、光調整部材９が開口部２ａを閉鎖する方向あるいは開放する方向に回動時に発生する、光調整部材９のバックラッシュを防ぐことができる。
前記第３弾性部材１７は、第１支持突起４ａ、４ｂ、４ｃのそれぞれの羽根受け部４ｄに掛け止めされて、それぞれの光調整部材９に弾性付勢している。
【００３７】
また、開口部２ａを遮蔽することにより、開口部２ａを通過する光の強度（光量）を、減少する側に調整可能なＮＤ（ｎｅｕｔｒａｌ  ｄｅｎｓｉｔｙ）フィルタ１０が配設され、このＮＤフィルタ１０は、支持部材１１の他端部１１ａ側に支持されている。
前記支持部材１１は、図示左側の一端部１１ｂ側がベース部材２の一部である第２支持突起５ａに支持されて回動自在になっている。
【００３８】
また、支持部材１１には、バネ係止部１１ｃが外向きに突出形成され、このバネ係止部１１ｃに捻りコイルバネからなる第１弾性部材１２の一端部が係止され、第１弾性部材１２の他端部がベース部材２側に係止されている。
そして、支持部材１１は、ＮＤフィルタ１０が開口部２ａを遮蔽する方向に常時弾性付勢されている。
【００３９】
また、ベース部材２の第３支持突起６ａには、ＮＤフィルタ１０を支持した支持部材１１の動きを規制してロック可能なロック部材１３が支持されている。
前記ロック部材１３は、図示左側の一端部１３ａ側が第３支持突起６ａに支持されると共に、図示右側の他端部１３ｂ側が支持部材１１の一端部１１ｂに弾接可能になっている。
また、ベース部材２のバネ支持突起４ｅには、捻りコイルバネからなり、第１弾性部材１２より付勢力の大きな第２弾性部材１４が支持されている。
前記第２弾性部材１４は、図３に示す左側端部がベース部材２に支持され、図示右側端部がロック部材１３の背に弾性付勢している。
そのために、ロック部材１３は、第３支持突起６ａを支点として、図示反時計回り方向に弾性付勢され、他端部１３ｂが支持部材１１の一端部１１ｂに弾接することにより、第１弾性部材１２の付勢力に抗して支持部材１１の動きがロックされるようになっている。
【００４０】
また、ベース部材２の周壁２ｃ上には、金属板からなるカバー部材１５が配設されている。前記カバー部材１５には、ベース部材２の開口部２ａと対向する中央部に開口部２ａと略同じ大きさの開口部１５ａが貫通形成され、ベース部材２の第１、第２第３支持突起４ａ、４ｂ、４ｃ、５ａ、６ａ等が嵌合可能な複数の支持孔１５ｂが貫通形成されている。
そして、駆動リング８、光調整部材９、支持部材１１に支持した状態のＮＤフィルタ１０、ロック部材１３等を載置したベース部材２の上方からカバー部材１５をかぶせて、それぞれの支持孔１５ｂから第１、第２第３支持突起４ａ、４ｂ、４ｃ、５ａ、６ａした状態で、カバー部材１５がベース部材２にスナップ止めされて、本発明の絞り兼用シャッタ駆動装置が組み立てられている。
【００４１】
このような本発明の絞り兼用シャッタ駆動装置を、例えばデジタルムービーカメラまたはデジタルスチルカメラ等に搭載したもので動作を説明すると、カメラ側には、ホール素子７から出力される出力電圧の変化と、駆動リング８の回動角度の変化との関係、即ち、ホール素子７の出力電圧と３枚の光調整部材９による開口部２ａの絞り口径との関係が、制御部（図示せず）に予め制御マップとして入力されている。
【００４２】
そして、デジタルムービーカメラで動画を撮影する場合は、撮影者が電源ボタンを操作すると、図１に示す駆動源１が起動し、駆動棒（図示せず）が図示手前側に移動して、駆動棒に直結された駆動レバー１ｂも手前側に移動する。
この駆動レバー１ｂの移動に同期して、駆動リング８が反時計回り方向に所定角度回動することにより、３枚の光調整部材９の羽根部９ｂが外側に回動して、図３に示すように、開口部２ａが開放された開放位置に移動する。
【００４３】
また、駆動リング８の反時計回り方向への回動で、ＮＤフィルタ１０を支持した支持部材１１は、駆動リング８の操作ピン８ｄで、第１弾性部材１２の付勢力に抗して外側に押圧され、第２支持突起５ａを支点として時計回り方向に回動する。
この支持部材１１の時計回り方向への回動に伴って一端部１１ｂが、ロック部材１３の他端部１３ｂに弾接されて、支持部材１１の動きがロックされる。即ちＮＤフィルタ１０は、開口部２ａを遮蔽しない非遮蔽状態で動きがロックされている。
【００４４】
前記ＮＤフィルタ１０が非遮蔽状態で、光調整部材９が開放位置にあるときに、例えば撮影者が動画撮影用のボタンを操作すると、周囲の明るさに対応して開口部２ａの絞り口径がカメラ側で設定された絞り量になるように、駆動源１を駆動させる。
この駆動源１の駆動で、駆動レバー１ｂが図１に示す奥側に移動して、駆動リング８が時計回り方向に回動する。このことにより、図３に示すように、センサマグネット８ｇの磁束が変化する。この磁束の変化に対応してホール素子７からホール電圧（Ｖ）が出力される。
【００４５】
そして、この出力電圧（Ｖ）と制御部（図示せず）に予め制御マップとして入力されている絞り量とが演算されて合致すると、制御部から指令で駆動源１の駆動が停止されるようになっている。
この時の開口部２ａは、光調整部材９によって撮影に最適な絞り量になるようになっている。
また、ホール素子７が検知するセンサマグネット８ｇの磁束の変化は、図３に示すＡの範囲部分で略直線状に変化する部分を検出するようになっている。
そのために、センサマグネット８ｇの磁束の変化を、ホール素子７が高精度に検出することができる。
【００４６】
そして、制御部（図示せず）に予め制御マップとして入力されている絞り量に対応した位置まで駆動リング８が回動したことをホール素子７が検出すると、駆動源１の駆動が停止する。
この時の開口部２ａは、例えばす５に示すように、３枚の光調整部材９の羽根部９ｂによって、所定の絞り口径に絞り込まれて、開口部２ａを通過する光の強度（光量）が撮影に最適となり、撮像素子（ＣＣＤ）によって動画が撮影される。
【００４７】
この動画の撮影は、撮像素子に蓄積された電荷を放出する動作を繰り返すことにより、連続したコマ撮り撮影が行われるものである。
そして、撮影する被写体が暗い場合には、図８に示すように、光調整部材９を外側に回動させて開口部を開放する開放位置にすることにより、所望の画像を撮影することができる。
【００４８】
所が、被写体が明るい場合に、光調整部材９を閉鎖位置方向に回動させる絞り込み動作を行っても、開口部２ａを通過する光の強度が強すぎて最適な露出調整ができない場合は、光調整部材９で絞り込まれた開口部２ａを、ＮＤフィルタ１０で遮蔽して露出調整を行うようになっている。
前記ＮＤフィルタ１０を用いた露出調整は、まず、図４に示す絞り状態から、駆動リング８を更に時計回り方向に回動させると、図５に示すように、光調整部材９のそれぞれの羽根部９ｂが内側に回動して、光調整部材９が開口部２ａを完全に閉鎖した閉鎖位置に移動する。
【００４９】
また、駆動リング８を時計方向に回動させることにより、図６に示す駆動リング８のロック解除ピン８ｅが、支持部材１１を図示左方向に押圧することにより、ロック部材１３による支持部材１１のロックが解除される。
このことにより、支持部材１１は第１弾性部材１２の付勢力で第２支持突起５ａを支点として反時計回り方向に回動して、ＮＤフィルタ１０が、図７に示すように、開口部２ａを閉鎖した状態のそれぞれの羽根部９ｂ上に位置する。
この時、ＮＤフィルタ１０を支持する支持部材１１は、操作ピン８ｄに当接して、それ以上反時計回り方向に回動しないようになっている。
【００５０】
その後、駆動リング８を逆転させて、反時計回り方向に回動することにより、開口部２ａを閉鎖していた光調整部材９が外側に移動して、開口部２ａが開かれる。また、駆動リング８が反時計回り方向に回動することにより、支持部材１１が操作ピン８ｄで押されて時計回り方向に回動して、所定量開かれた開口部２ａが、ＮＤフィルタ１０で遮蔽されるようになっている。
尚、図８におけるＮＤフィルタ１０は、所定量開かれた開口部２ａの略半分程度を遮蔽した状態になっているが、この遮蔽量は、支持部材１１を時計回り方向に押圧する操作ピン８ｄの位置を変えることにより、所定量開かれた開口部２ａ全体を遮蔽することも可能である。
【００５１】
そして、ＮＤフィルタ１０で遮蔽された開口部２ａを通過する光の強度（光量）を光検出センサでモニターしながら、駆動源１の駆動を制御マップ等に基づいて制御することにより、開口部２ａの絞り口径が撮影に最適となる。
この開口部２ａの絞り口径が撮影に最適とった位置で、駆動リング８の回動が自動的に停止する。そして、撮像素子により連続したコマ撮り撮影が行われて動画が撮影される。
前記動画撮影モードにおける光調整部材９は、図７に示す閉鎖位置から図９に示す開放位置まで回動可能になっていると共に、ロック部材１３によるＮＤフィルタ１０のロックが解除された状態になっている。そのために、ＮＤフィルタ１０は、光調整部材９の移動に同期して、開口部２ａを遮蔽する遮蔽状態および開口部２ａを遮蔽しない非遮蔽状態に移動可能になっている。
【００５２】
続いて、動画を撮影していた図８に示す状態から、静止画像を撮影する場合は、開口部２ａが、既に最適な絞り口径に調整されているため、操作者が静止画ボタンを操作することにより、撮像素子に蓄積されてい他電荷を一旦放出してリセットされて、露出動作を開始する。
そして所定時間経過後に制御部からの信号により駆動源１が駆動して、駆動リング８が時計回り方向に迅速に回動して、光調整部材９が開口部２ａを遮蔽するシャッタ動作により、露出動作が終了して静止画像が撮影される。
【００５３】
このような本発明の絞り兼用シャッタ装置は、３枚の光調整部材９近傍の位置に、光調整部材９による開口部２ａの絞り量を検出可能な、センサマグネット８ｇとホール素子７とからなる検出センサを配設したので、駆動源１から駆動リング８までの間でバックラッシュ等によるガタが発生して蓄積されても、検出センサで検出する駆動リング８の回動量に対応して、光調整部材９のよる開口部２ａの絞り量を高精度に制御することができる。
即ち、センサマグネット８ｇとホール素子７とからなる検出センサで、開口部２ａの絞り量を検出可能になっている。
尚、本発明の実施の形態においては、光調整部材９を３枚のもので説明したが、２枚あるいは４枚状の複数枚でも良い。
【図面の簡単な説明】
【００５４】
【図１】本発明に関する絞り兼用シャッタ駆動装置の分解斜視図である。
【図２】本発明に係わるベース部材の平面図である。
【図３】本発明に係わる検出センサの磁束カーブを示す図であり、
【図４】本発明に関する絞り兼用シャッタ駆動装置の動作を説明する要部拡大図ある。
【図５】本発明に関する絞り兼用シャッタ駆動装置の動作を説明する要部拡大図ある。
【図６】本発明に関する絞り兼用シャッタ駆動装置の動作を説明する要部拡大図ある。
【図７】本発明に関する絞り兼用シャッタ駆動装置の動作を説明する要部拡大図ある。
【図８】本発明に関する絞り兼用シャッタ駆動装置の動作を説明する要部拡大図ある。
【図９】本発明に関する絞り兼用シャッタ駆動装置の動作を説明する要部拡大図ある。
【図１０】従来の絞り兼用シャッタ駆動装置を説明する概略図である。
【図１１】従来の絞り兼用シャッタ駆動装置の動作を説明する概略図である。
【符号の説明】
【００５５】
１  駆動源
２  ベース部材
２ａ  開口部
７  ホール素子
８  駆動リング
９  光調整部材
１０  ＮＤフィルタ
１１  支持部材
１２  第１弾性部材
１３  ロック部材
１４  第２弾性部材
１５  カバー部材
１６  ボール
１７  第３弾性部材
【図１】
2005018020.tif 000003
【図２】
2005018020.tif 000004
【図３】
2005018020.tif 000005
【図４】
2005018020.tif 000006
【図５】
2005018020.tif 000007
【図６】
2005018020.tif 000008
【図７】
2005018020.tif 000009
【図８】
2005018020.tif 000010
【図９】
2005018020.tif 000011
【図１０】
2005018020.tif 000012
【図１１】
2005018020.tif 000013